(57)【要約】  【課題】  構成部品を従来より減少させることができる皮膚用針集合体を提供する。  【解決手段】  貯留済マイクロパイル集合体２０は、生体の皮膚に穴を開けるための複数のマイクロパイル１１と、複数のマイクロパイル１１を支持する基台１２とを備え、それぞれ４本ずつのマイクロパイル１１の袂の繋がりによって複数の溝１１ａが形成され、皮膚の装飾効果や皮膚の日焼け止め効果等の所定の機能を生体に付与するための機能付与物質１３を複数の溝１１ａ内に備える。【選択図】  図２
2006345983.tif 000002
【特許請求の範囲】
【請求項１】
生体の皮膚に穴を開けるための皮膚用針を複数備え、
複数の前記皮膚用針の袂の繋がりによって溝が形成されたことを特徴とする皮膚用針集合体。
【請求項２】
前記生体に所定の機能を付与するための物質を前記溝内に備えたことを特徴とする請求項１に記載の皮膚用針集合体。
【請求項３】
生体の皮膚に穴を開けるための皮膚用針を複数有する皮膚用針集合体の材料が設置される材料設置部材と、前記材料の一部を付着させるための複数のピンと、前記材料設置部材の温度を変更する部材温度変更手段と、前記材料設置部材に設置された前記材料及び前記ピンの一方に対して他方を移動させる移動手段と、前記部材温度変更手段及び前記移動手段の動作を制御する制御手段とを備え、
前記制御手段は、前記材料設置部材の温度を前記部材温度変更手段によって制御することによって前記材料設置部材に設置された前記材料を溶解させ、溶解させた前記材料に前記移動手段によって前記ピンを接触させることによって前記ピンに前記材料の一部を付着させ、前記材料のうち前記ピンに付着した付着部分からの張力によって突起させられた突起部分から前記移動手段によって前記ピンを離隔させることによって前記突起部分を引き伸ばして前記皮膚用針として成形し、前記突起部分を前記皮膚用針として成形するときに前記部材温度変更手段によって前記材料設置部材の温度を制御し、
前記複数のピンは、複数の前記皮膚用針の袂の繋がりによって前記皮膚用針集合体に溝を形成する位置に配置されたことを特徴とする皮膚用針集合体製造装置。
【請求項４】
生体の皮膚に穴を開けるための皮膚用針を複数有する皮膚用針集合体の材料を溶解させる材料溶解工程と、前記材料溶解工程によって溶解させられた前記材料に複数のピンを接触させることによって前記ピンに前記材料の一部を付着させる材料付着工程と、前記材料のうち前記ピンに付着した付着部分からの張力によって突起させられた突起部分から前記ピンを離隔させることによって前記突起部分を引き伸ばして前記皮膚用針として成形する成形工程と、前記成形工程によって前記皮膚用針として成形された前記突起部分から前記付着部分を切り離す切離工程とを備え、
前記成形工程は、前記突起部分を前記皮膚用針として成形するときに前記突起部分の温度を制御し、
前記複数のピンは、複数の前記皮膚用針の袂の繋がりによって前記皮膚用針集合体に溝を形成する位置に配置されたことを特徴とする皮膚用針集合体製造方法。
【請求項５】
前記生体に所定の機能を付与するための物質を前記溝内に貯留する貯留工程を前記成形工程より後に備えたことを特徴とする請求項４に記載の皮膚用針集合体製造方法。
【発明の詳細な説明】
【技術分野】
【０００１】
本発明は、生体の皮膚に穴を開けるための皮膚用針を複数有した皮膚用針集合体に関するものである。
【背景技術】
【０００２】
従来、皮膚用針集合体として、生体に所定の機能を付与するための物質（以下「機能付与物質」という。）を貯留するものが知られている（例えば、特許文献１参照。）。
【０００３】
【特許文献１】意匠登録第１２２７６３２号公報
【発明の開示】
【発明が解決しようとする課題】
【０００４】
しかしながら、従来の皮膚用針集合体においては、機能付与物質を貯留するための特別の部品が必要であり、構成部品が多くなるという問題があった。
【０００５】
本発明は、構成部品を従来より減少させることができる皮膚用針集合体を提供することを目的とする。
【課題を解決するための手段】
【０００６】
本発明の皮膚用針集合体は、生体の皮膚に穴を開けるための皮膚用針を複数備え、複数の前記皮膚用針の袂の繋がりによって溝が形成された構成を有している。
【０００７】
この構成により、本発明の皮膚用針集合体は、複数の皮膚用針の袂の繋がりによって形成された溝内に機能付与物質を貯留することができるので、構成部品を従来より減少させることができる。
【０００８】
本発明の皮膚用針集合体は、前記生体に所定の機能を付与するための物質を前記溝内に備えた構成を有している。
【０００９】
この構成により、本発明の皮膚用針集合体は、溝内に機能付与物質を貯留するので、構成部品を従来より減少させることができる。
【００１０】
本発明の皮膚用針集合体製造装置は、生体の皮膚に穴を開けるための皮膚用針を複数有する皮膚用針集合体の材料が設置される材料設置部材と、前記材料の一部を付着させるための複数のピンと、前記材料設置部材の温度を変更する部材温度変更手段と、前記材料設置部材に設置された前記材料及び前記ピンの一方に対して他方を移動させる移動手段と、前記部材温度変更手段及び前記移動手段の動作を制御する制御手段とを備え、前記制御手段は、前記材料設置部材の温度を前記部材温度変更手段によって制御することによって前記材料設置部材に設置された前記材料を溶解させ、溶解させた前記材料に前記移動手段によって前記ピンを接触させることによって前記ピンに前記材料の一部を付着させ、前記材料のうち前記ピンに付着した付着部分からの張力によって突起させられた突起部分から前記移動手段によって前記ピンを離隔させることによって前記突起部分を引き伸ばして前記皮膚用針として成形し、前記突起部分を前記皮膚用針として成形するときに前記部材温度変更手段によって前記材料設置部材の温度を制御し、前記複数のピンは、複数の前記皮膚用針の袂の繋がりによって前記皮膚用針集合体に溝を形成する位置に配置された構成を有している。
【００１１】
この構成により、本発明の皮膚用針集合体製造装置は、複数の皮膚用針の袂の繋がりによって形成された溝内に機能付与物質を貯留することができる皮膚用針集合体を製造することができる。
【００１２】
本発明の皮膚用針集合体製造方法は、生体の皮膚に穴を開けるための皮膚用針を複数有する皮膚用針集合体の材料を溶解させる材料溶解工程と、前記材料溶解工程によって溶解させられた前記材料に複数のピンを接触させることによって前記ピンに前記材料の一部を付着させる材料付着工程と、前記材料のうち前記ピンに付着した付着部分からの張力によって突起させられた突起部分から前記ピンを離隔させることによって前記突起部分を引き伸ばして前記皮膚用針として成形する成形工程と、前記成形工程によって前記皮膚用針として成形された前記突起部分から前記付着部分を切り離す切離工程とを備え、前記成形工程は、前記突起部分を前記皮膚用針として成形するときに前記突起部分の温度を制御し、前記複数のピンは、複数の前記皮膚用針の袂の繋がりによって前記皮膚用針集合体に溝を形成する位置に配置された構成を有している。
【００１３】
この構成により、本発明の皮膚用針集合体製造方法は、複数の皮膚用針の袂の繋がりによって形成された溝内に機能付与物質を貯留することができる皮膚用針集合体を製造することができる。
【００１４】
本発明の皮膚用針集合体製造方法は、前記生体に所定の機能を付与するための物質を前記溝内に貯留する貯留工程を前記成形工程より後に備えた構成を有している。
【００１５】
この構成により、本発明の皮膚用針集合体製造方法は、溝内に機能付与物質を貯留した皮膚用針集合体を製造することができる。
【発明の効果】
【００１６】
本発明は、構成部品を従来より減少させることができる皮膚用針集合体を提供することができるものである。
【発明を実施するための最良の形態】
【００１７】
以下、本発明の一実施の形態について、図面を用いて説明する。
【００１８】
まず、本実施の形態に係る皮膚用針集合体の構成について説明する。
【００１９】
図１に示すように、本実施の形態に係る皮膚用針集合体としてのマイクロパイル集合体１０は、皮膚用針としての長さが数百μｍ以下の略錐状の複数のマイクロパイル１１と、マイクロパイル１１を支持する基台１２とを備えており、それぞれ４本ずつのマイクロパイル１１の袂の繋がりによって複数の溝１１ａが形成されている。
【００２０】
また、マイクロパイル集合体１０は、図２に示すように、溝１１ａ内に機能付与物質１３を貯留することができる。以下、溝１１ａ内に機能付与物質１３を貯留したマイクロパイル集合体１０を特に貯留済マイクロパイル集合体２０という。
【００２１】
次に、本実施の形態に係る皮膚用針集合体製造装置の構成について説明する。
【００２２】
図３に示すように、本実施の形態に係る皮膚用針集合体製造装置としての製造装置１１０は、地面１９０上に設置されて室１２０ａを形成する壁部１２０と、壁部１２０に設置されて室１２０ａ内の湿度を所定の湿度以下に維持する湿度維持装置１３０と、室１２０ａ内に設置されてマイクロパイル集合体１０（図１参照。）の材料３０が設置される材料設置部材としての基板１４１と、基板１４１の温度を変更する部材温度変更手段としてのヒーター１４２と、基板１４１に固定された柱部１４３と、柱部１４３に沿って矢印１４４ａ、１４４ｂで示す方向に移動可能に柱部１４３に支持された移動部１４４と、移動部１４４に固定された基板１４５と、基板１４５の温度を変更するヒーター１４６と、基板１４５に設置されて材料３０の一部を付着させるための複数本のピン１４７と、移動部１４４を柱部１４３に沿って移動させるための駆動機構１４８と、ヒーター１４２、ヒーター１４６及び駆動機構１４８の動作を制御する制御手段としてのコンピュータ１５０とを備えている。
【００２３】
ヒーター１４６は、基板１４５の温度を変更することによって基板１４５を介して間接的にピン１４７の温度を変更するようになっている。
【００２４】
また、複数本のピン１４７は、熱伝導性の高い金属等によって形成されており、それぞれ４本ずつのマイクロパイル１１の袂の繋がりによって複数の溝１１ａをマイクロパイル集合体１０に形成する位置に配置されて基板１４５に設置されている。
【００２５】
また、駆動機構１４８は、移動部１４４を柱部１４３に沿って移動させることによって、移動部１４４に固定された基板１４５に設置されたピン１４７を、基板１４１に設置された材料３０に対して移動させるようになっており、移動手段を構成している。
【００２６】
また、材料３０は、マルトース等の糖を主成分として含んでいる。
【００２７】
次に、本実施の形態に係る皮膚用針集合体製造方法について説明する。
【００２８】
湿度維持装置１３０は、室１２０ａ内の湿度を所定の範囲に常に維持している。
【００２９】
まず、製造装置１１０は、基板１４１に材料３０が設置される。
【００３０】
（材料溶解工程）
そして、製造装置１１０の操作者からマイクロパイル集合体１０の製造がコンピュータ１５０に指示されると、コンピュータ１５０は、ヒーター１４２によって基板１４１の温度を約１００℃に維持するように制御することによって、基板１４１に設置された材料３０を溶解させる。
【００３１】
（材料付着工程）
次に、コンピュータ１５０は、駆動機構１４８によって移動部１４４を柱部１４３に沿って矢印１４４ａで示す方向に移動させることによって、移動部１４４に固定された基板１４５に設置されたピン１４７を、基板１４１上で溶解している材料３０に図４（ａ）に示すように接触させ、ピン１４７に材料３０の一部を付着させる。ここで、製造装置１１０は、基板１４５に設置された複数本のピン１４７が均一に材料３０に接触するように、精度良く形成されている。
【００３２】
（成形工程）
次いで、コンピュータ１５０は、ヒーター１４２によって基板１４１の温度を約１００℃に維持するように制御したまま、ヒーター１４６によって基板１４５を介してピン１４７の温度を約１２０℃に維持するように制御した後、駆動機構１４８によって移動部１４４を柱部１４３に沿って矢印１４４ｂで示す方向に約５００μｍ移動させることによって、移動部１４４に固定された基板１４５に設置されたピン１４７を、図４（ｂ）に示すように、材料３０のうちピン１４７に付着した付着部分３０ａからの張力によって突起させられた突起部分３０ｂから離隔させ、突起部分３０ｂを引き伸ばして長さが約５００μｍの略錐形のマイクロパイル１１（図１参照。）として成形する。なお、複数本のピン１４７が基板１４５に設置されているので、材料３０上には、複数本のマイクロパイル１１が成形される。
【００３３】
（切離工程）
最後に、コンピュータ１５０は、ヒーター１４６によって基板１４５を介してピン１４７の温度を下げて約１００℃に維持するように制御した後、駆動機構１４８によって移動部１４４を柱部１４３に沿って矢印１４４ｂで示す方向に移動させることによって、移動部１４４に固定された基板１４５に設置されたピン１４７を、図４（ｃ）に示すように材料３０の突起部分３０ｂから離隔させ、ピン１４７に付着した付着部分３０ａをマイクロパイル１１として成形された突起部分３０ｂから切り離し、マイクロパイル集合体１０を製造する。
【００３４】
以上のようにして、製造装置１１０は、図１に示すように、糖が主成分であるマイクロパイル集合体１０を製造することができる。なお、付着部分３０ａが切り離された材料３０のうちマイクロパイル１１以外の部分は、マイクロパイル１１を支持する基台１２になる。
【００３５】
製造装置１１０によって製造されたマイクロパイル集合体１０は、次に説明する貯留工程が更に行われることによって溝１１ａ内に機能付与物質１３が貯留され、貯留済マイクロパイル集合体２０になる。
【００３６】
（貯留工程）
マイクロパイル集合体１０は、図示していない装置等によって表面に機能付与物質１３が流されると、機能付与物質１３の表面張力によって溝１１ａ内に機能付与物質１３が貯留され、貯留済マイクロパイル集合体２０になる。
【００３７】
次に、貯留済マイクロパイル集合体２０の使用方法について説明する。
【００３８】
貯留済マイクロパイル集合体２０の利用者は、基台１２を持ってマイクロパイル１１を自己又は他人の皮膚に押し当てることによって、マイクロパイル１１を皮膚に刺すことができる。ここで、マイクロパイル１１が十分に微細に製造されていれば、マイクロパイル１１が皮膚に刺された人は、痛みを感じることが無い。
【００３９】
そして、マイクロパイル１１が皮膚に刺されると、溝１１ａ内に貯留された機能付与物質１３は、マイクロパイル１１と皮膚との隙間を通って皮膚内に入る。
【００４０】
したがって、機能付与物質１３が皮膚内に入った人は、機能付与物質１３によって種々の効果を得ることができる。例えば、機能付与物質１３が食紅等の着色剤であるとき、機能付与物質１３が皮膚内に入った人は、皮膚に化粧等の装飾効果を得ることができる。また、機能付与物質１３が紫外線吸収剤であるとき、機能付与物質１３が皮膚内に入った人は、皮膚に日焼け止め効果を得ることができる。また、機能付与物質１３がインシュリン等の薬剤であるとき、機能付与物質１３が皮膚内に入った人は、病気の治療や予防が行われることになる。
【００４１】
以上に説明したように、マイクロパイル集合体１０は、４本のマイクロパイル１１の袂の繋がりによって形成された溝１１ａ内に機能付与物質１３を貯留することができるので、構成部品を従来より減少させることができる。
【００４２】
また、マイクロパイル集合体１０は、マイクロパイル１１の成形後に機能付与物質１３が貯留されるので、マイクロパイル１１が上述したように高温に加熱されて成形される場合であっても、高温に弱い物質を機能付与物質１３として貯留することができる。例えば、上述した製造方法では基板１４１の温度が約１００℃になり、ピン１４７の温度が約１２０℃になるので、マイクロパイル集合体１０は、マイクロパイル１１の成形過程で約１００℃を超える高温になるが、マイクロパイル１１の成形後に冷めた状態で機能付与物質１３が貯留されれば、１００℃を超える高温に弱いビタミンＣや、７０℃を超える高温に弱い蛋白質（ワクチン）や、２０℃を超える高温に弱いＤＮＡ等を機能付与物質１３として貯留することができる。
【００４３】
なお、マイクロパイル集合体１０は、４本のマイクロパイル１１の袂の繋がりによって溝１１ａが形成されているが、４本以外の複数本のマイクロパイル１１の袂の繋がりによって溝１１ａが形成されるようになっていても良い。
【００４４】
また、マイクロパイル集合体１０は、図４に示すような材料の張力を利用した製造方法以外の製造方法によって製造されても良い。例えば、マイクロパイル集合体１０は、鋳型によって製造されるようになっていても良い。
【００４５】
また、材料３０は、本実施の形態において、糖が主成分であったが、成分構成はこれに限られない。例えば、材料３０は、蛋白質が主成分であっても良いし、生体内で溶解し消失する性質を有していなくても良い。
【産業上の利用可能性】
【００４６】
以上のように、本発明に係る皮膚用針集合体は、構成部品を従来より減少させることができるので、長さが数百μｍ以下であるマイクロパイルを複数有したマイクロパイル集合体等として有用である。
【図面の簡単な説明】
【００４７】
【図１】（ａ）本発明の一実施の形態に係るマイクロパイル集合体の上面図  （ｂ）図１（ａ）に示すマイクロパイル集合体の一部の外観斜視図  （ｃ）図１（ａ）のＡ−Ａ矢視断面図
【図２】（ａ）機能付与物質が貯留された図１に示すマイクロパイル集合体の上面図  （ｂ）図２（ａ）に示すマイクロパイル集合体の一部の外観斜視図  （ｃ）図２（ａ）のＢ−Ｂ矢視断面図
【図３】図１に示すマイクロパイル集合体の製造装置の側面断面図
【図４】（ａ）図１に示すマイクロパイル集合体の材料の一部の加熱状態での側面図  （ｂ）ピンが付着された状態での図４（ａ）に示す材料の側面図  （ｃ）図４（ｂ）に示す材料からピンが離隔されて製造されたマイクロパイル集合体の一部の側面図
【符号の説明】
【００４８】
１０  マイクロパイル集合体（皮膚用針集合体）
１１  マイクロパイル（皮膚用針）
１１ａ  溝
１３  機能付与物質（生体に所定の機能を付与するための物質）
２０  貯留済マイクロパイル集合体
３０  材料
３０ａ  付着部分
３０ｂ  突起部分
１１０  製造装置（皮膚用針集合体製造装置）
１４１  基板（材料設置部材）
１４２  ヒーター（部材温度変更手段）
１４７  ピン
１４８  駆動機構（移動手段）
１５０  コンピュータ（制御手段）
【図１】
2006345983.tif 000003
【図２】
2006345983.tif 000004
【図３】
2006345983.tif 000005
【図４】
2006345983.tif 000006